(57)【要約】【課題】内部のヒューズの電流容量をヒューズ筒の外部から確認できるようにすることにより、手間を掛けることなく、ヒューズ筒の交換作業を容易にすることのできるカットアウト装置用ヒューズ筒の内蔵ヒューズを提供すること。【解決手段】商用電力を供給する配電線の負荷設備の前段側に介装されたカットアウト装置にセットするヒューズ筒内に内蔵させるヒューズ１０であって、前記ヒューズ筒の一端側から引き出して該ヒューズ筒本体の外面に配設されている端子部に導通接続する溶断部１１のリード線１４の端部に電流容量を表示する表示片２０が固設されている。【選択図】図１
2011040308.tif 000002
【特許請求の範囲】
【請求項１】
商用電力を供給する配電線の負荷設備の前段側に介装されたカットアウト装置にセットするヒューズ筒内に内蔵させるヒューズであって、
前記ヒューズ筒の一端側から引き出して該ヒューズ筒本体の外面の端子部に導通接続させる溶断部の延長線に当該電流容量を表示する表示部が設けられており、
前記表示部は、前記延長線の前記ヒューズ筒の外部に露出させる範囲内に固設されていることを特徴とするカットアウト装置用ヒューズ筒の内蔵ヒューズ。
【請求項２】
前記表示部は、前記ヒューズ筒の一端側端部から引き出して前記端子部までの間に位置する範囲の前記延長線に配設することを特徴とする請求項１に記載のカットアウト装置用ヒューズ筒の内蔵ヒューズ。
【請求項３】
前記表示部は、前記ヒューズ筒の一端側端部から引き出す前記延長線の端部に配設されて、指先で把持して牽引する把持部としても機能する形状および強度に形成されていることを特徴とする請求項１に記載のカットアウト装置用ヒューズ筒の内蔵ヒューズ。
【請求項４】
前記表示部は、前記延長線を挿通して潰すことにより該延長線に固着する管状形状に全体が、あるいは、一部が形成されていることを特徴とする請求項１、２または３に記載のカットアウト装置用ヒューズ筒の内蔵ヒューズ。
【請求項５】
前記表示部は、前記延長線を挿通する挿通部と、該挿通部に隣接して前記端子部を内部に収装可能な開口部と、共に該開口部と異なる箇所で前記挿通部に隣接する位置に一体形成されているとともに、指先で把持して牽引する把持部としても機能する形状および強度に形成されていることを特徴とする請求項１に記載のカットアウト装置用ヒューズ筒の内蔵ヒューズ。
【請求項６】
前記表示部は、前記端子部を構成するネジ構造の首部を側方から内部に挿通可能に前記開口部の一部が切欠かれていることを特徴とする請求項５に記載のカットアウト装置用ヒューズ筒の内蔵ヒューズ。
【請求項７】
前記表示部は、溶断部の電気容量を文字情報で表示していることを特徴とする請求項１から６のいずれかに記載のカットアウト装置用ヒューズ筒の内蔵ヒューズ。
【発明の詳細な説明】
【技術分野】
【０００１】
本発明は、カットアウト装置用ヒューズ筒の内蔵ヒューズに関し、詳しくは、その電流容量を簡易な構造で容易にヒューズ筒外部から確認可能に表示するものに関する。
【背景技術】
【０００２】
電柱などの高所には、商用電源から各家庭の負荷装置に電力供給するために、変圧器が設置されているとともに、負荷装置側に異常電流が流れ込まないように、ヒューズを内蔵するカットアウト装置が介在するように設置されている。
【０００３】
この種のカットアウト装置としては、全体を概略円筒型に形成されているものがあり、円筒型の底側を閉止蓋で開閉するようになっている（例えば、特許文献１）。この円筒型カットアウト装置は、閉止蓋を外して開口させている底側からヒューズ筒を差し込むことにより、両端側の導通部に本体側の接続部が導通接触する構造になっており、ヒューズ筒は、導通部の間に設定容量の電流で溶断するヒューズ本体（溶断部）が介在するように組み立てられている。
【０００４】
また、カットアウト装置には、全体を概略箱型に形成されているものがあり、箱型の一面側を回動蓋で開閉するようになっている（例えば、特許文献２）。この箱形カットアウト装置は、回動蓋で本体側開口を閉じると同時に、その回動蓋に取り付けられているヒューズ筒の一対の導通刃を本体側の接続部に導通接触させる構造になっており、ヒューズ筒は、導通刃の間に設定容量の電流で溶断するヒューズ本体が介在するように組み立てられている。
【０００５】
このヒューズ筒は、内蔵するヒューズ本体が溶断する電流容量を把握した状態で組み立ててカットアウト装置側に取り付けるが、ヒューズ本体が溶断した後に交換する場合に、そのヒューズ本体の電流容量が分からないと、わざわざ書類を取り寄せて確認しなければならず、不都合である。
【０００６】
このことから、特許文献２に記載のヒューズ筒では、ヒューズ本体が溶断すると、そのヒューズの種別を識別可能な色表示が外部に露出する構造を設けることが提案されている。なお、ヒューズ筒内にセットする内蔵ヒューズには、ヒューズ本体の溶断を待つまでもなく、端部に電流容量などの情報が刻印されており、その刻印が目視では確認し難いことから、それを読取装置等で適宜読み取ることで種別を判別できるようにすることが特許文献３に記載されている。
【先行技術文献】
【特許文献】
【０００７】
【特許文献１】特開平１０−２６９９２６号公報
【特許文献２】実開昭６１−１８３０５０号公報
【特許文献３】実開平  ４−  ６３５３８号公報
【発明の概要】
【発明が解決しようとする課題】
【０００８】
しかしながら、このようなヒューズ筒にあっては、特許文献２に記載のように、ヒューズ本体の電流容量を確認できるにしても、ヒューズ本体が溶断する前に電流容量を確認できないのでは、内蔵ヒューズを内部にセットした状態のまま、電流容量が不明になる恐れなく準備・保管しておくことができない。このことから、カットアウト装置にセットするヒューズ筒の交換作業を迅速に完了することができず、また、カットアウト装置自体の製造効率も悪くなってしまう。
【０００９】
また、ヒューズ筒は、特許文献３に記載のように、内蔵ヒューズの端部に電流容量が刻印されているにしても、確実に導通接触する状態を確保するなどの必要から、その端部にキャップを被せているので、端部の刻印を確認するには、そのキャップを一々外さなければならず、面倒である。
【００１０】
そこで、本発明は、電流容量をヒューズ筒外部から確認して把握できるようにして、手間を掛けることなく、ヒューズ筒の交換作業を容易にすることのできるカットアウト装置用ヒューズ筒の内蔵ヒューズを提供することを目的としている。
【課題を解決するための手段】
【００１１】
上記課題を解決するカットアウト装置用ヒューズ筒の内蔵ヒューズの発明は、商用電力を供給する配電線の負荷設備の前段側に介装されたカットアウト装置にセットするヒューズ筒内に内蔵させるヒューズであって、前記ヒューズ筒の一端側から引き出して該ヒューズ筒本体の外面の端子部に導通接続させる溶断部の延長線に当該電流容量を表示する表示部が設けられており、前記表示部は、前記延長線の前記ヒューズ筒の外部に露出させる範囲内に固設されていることを特徴とするものである。
【００１２】
この発明では、ヒューズ筒から内蔵ヒューズを取り出すことなく、また、キャップを外すなどの作業をすることなく、ヒューズ筒の外面に露出する表示部を目視してその電流容量を確認することができる。したがって、ヒューズ筒から取り出す前に内蔵ヒューズを準備して迅速に交換作業を行うことができるとともに、ヒューズ筒を予め準備しておき、カットアウト装置に取り付ける際にその電流容量を容易に把握して交換作業をすることもできる。
【発明の効果】
【００１３】
このように本発明によれば、ヒューズ筒の外部に電流容量を目視可能に露出させることで、内部の内蔵ヒューズの電流容量を外部から確認・把握することができる。したがって、種類の確認やキャップの着脱などの手間を掛けることなく、ヒューズ筒の交換作業を容易に行うことができる。
【図面の簡単な説明】
【００１４】
【図１】本発明に係るカットアウト装置用ヒューズ筒の内蔵ヒューズの第１実施形態を示す図であり、（ａ）はその全体構成を示す一部断面平面図、（ｂ）はその一部材の端面における刻印情報を示す平面図である。
【図２】その要部構成を示す図であり、（ａ）はその平面図、（ｂ）はその側面図である。
【図３】その円筒型のカットアウト装置の全体構成を示す一部断面平面図である。
【図４】その円筒型カットアウト装置用のヒューズ筒の構成を示す一部断面平面図である。
【図５】その円筒型カットアウト装置用のヒューズ筒内に内蔵ヒューズをセットした状態を示す斜視図である。
【図６】その箱型のカットアウト装置の全体構成を示す一部断面平面図である。
【図７】その箱型カットアウト装置用のヒューズ筒の構成を示す図であり、（ａ）はその平面図、（ｂ）はその側面図である。
【図８】本発明に係るカットアウト装置用ヒューズ筒の内蔵ヒューズの第２実施形態を示す図であり、（ａ）はその全体構成を示す一部断面平面図、（ｂ）はその一部材の端面における刻印情報を示す平面図である。
【図９】その円筒型カットアウト装置用のヒューズ筒内に内蔵ヒューズをセットした状態を示す斜視図である。
【図１０】その箱型カットアウト装置用のヒューズ筒の構成を示す図であり、（ａ）はその平面図、（ｂ）はその側面図である。
【図１１】本発明に係るカットアウト装置用ヒューズ筒の内蔵ヒューズの第３実施形態を示す図であり、（ａ）はその全体構成を示す一部断面平面図、（ｂ）はその一部材の端面における刻印情報を示す平面図である。
【図１２】その要部構成を示す図であり、（ａ）はその平面図、（ｂ）はその側面図である。
【図１３】そのヒューズ筒に内蔵ヒューズをセットする際の要部構成を状態を示す平面図である。
【図１４】その円筒型カットアウト装置用のヒューズ筒内に内蔵ヒューズをセットした状態を示す斜視図である。
【図１５】その箱型カットアウト装置用のヒューズ筒の構成を示す図であり、（ａ）はその平面図、（ｂ）はその側面図である。
【発明を実施するための形態】
【００１５】
商用電力を供給する配電線の負荷設備の前段側に介装されたカットアウト装置にセットするヒューズ筒内に内蔵させるヒューズであって、前記ヒューズ筒の一端側から引き出して該ヒューズ筒本体の外面の端子部に導通接続させる溶断部の延長線に当該電流容量を表示する表示部が設けられており、前記表示部は、前記延長線の前記ヒューズ筒の外部に露出させる範囲内に固設されていることを基本構成とするのに加えて、次の構成を備えてもよい。
【００１６】
第１の形態としては、前記表示部は、前記ヒューズ筒の一端側端部から引き出して前記端子部までの間に位置する範囲の前記延長線に配設するようにしてもよい。
【００１７】
この構成では、ヒューズ筒の一端側端部から引き出した溶断部の延長線を端子部に導通接続させた後に、余ったその延長線を切断しても、端子部までの間に表示部を残すことができ、ヒューズ筒の外面側でその電流容量を目視して確認することができる。
【００１８】
第２の形態としては、前記表示部は、前記ヒューズ筒の一端側端部から引き出す前記延長線の端部に配設されて、指先で把持して牽引する把持部としても機能する形状および強度に形成されていてもよい。
【００１９】
この構成では、ヒューズ筒の一端側端部から引き出した内蔵ヒューズの延長線端部の表示部を指先で摘むように把持して牽引する状態を維持しつつ、その延長線を端子部に巻き付けるなどの作業をして導通接続させることができ、そのまま延長線と共に表示部を残すことによりヒューズ筒の外面側でその電流容量を目視して確認することができる。
【００２０】
第３の形態としては、前記表示部は、前記延長線を挿通して潰すことにより該延長線に固着する管状形状に全体が、あるいは、一部が形成されていてもよい。
【００２１】
この構成では、ヒューズ筒の一端側端部から引き出す内蔵ヒューズの延長線を表示部の管状形状内に挿通して潰すだけで、その延長線にヒューズ筒の外面側でその電流容量を目視して確認できるように表示部を固設することができる。
【００２２】
第４の形態としては、前記表示部は、前記延長線を挿通する挿通部と、該挿通部に隣接して前記端子部を内部に収装可能な開口部と、共に該開口部と異なる箇所で前記挿通部に隣接する位置に一体形成されているとともに、指先で把持して牽引する把持部としても機能する形状および強度に形成されていてもよい。
【００２３】
この構成では、ヒューズ筒の一端側端部から引き出す内蔵ヒューズの延長線を挿通部に挿通するとともに、ヒューズ筒外面の端子部を開口部内に収装する状態のまま、隣接する表示部を指先で摘むようにして把持しつつその端子部の周りを周回させることで、内蔵ヒューズの延長線を牽引しつつ端子部に巻き付けるなどの導通接続作業をすることができ、そのまま端子部の隣接位置に表示部を固設してヒューズ筒の外面側でその電流容量を目視して確認することができる。
【００２４】
第５の形態としては、前記表示部は、前記端子部を構成するネジ構造の首部を側方から内部に挿通可能に前記開口部の一部が切欠かれていてもよい。
【００２５】
この構成では、ヒューズ筒の一端側端部から引き出す内蔵ヒューズの延長線を挿通部に挿通させるとともに、端子部をヒューズ筒の外面から外すことなく、その端子部を開口部の切欠からその内部に収装することができ、隣接する表示部を指先で把持して端子部の周りを周回させて延長線を巻き付けることができる。
【００２６】
第６の形態としては、前記表示部は、溶断部の電気容量を文字情報で表示していてもよい。
【００２７】
この構成では、表示部を目視するだけで、例えば、対応表などを参照することなく、直接、内蔵ヒューズの電気容量を確認して把握することができる。
【００２８】
以下、図面を参照して、本発明の実施形態について詳細に説明する。図１〜図７は本発明に係るカットアウト装置用ヒューズ筒の内蔵ヒューズの第１実施形態を示す図である。
【００２９】
図１において、内蔵ヒューズ１０は、図３に示す円筒型カットアウト装置１００に取り付けるヒューズ筒１０１と、図６に示す箱型カットアウト装置２００に取り付けるヒューズ筒２０１と、の双方に内蔵させて共通使用することができるように寸法設定されている。
【００３０】
ここで、円筒型カットアウト装置１００は、図３に示すように、本体部１１０が底部１１１の開口する概略円筒形状に形成されているとともに、その本体部１１０の底部１１１の開口に閉止蓋１１２を着脱して開閉するようになっている。この円筒型カットアウト装置１００は、本体部１１０側に、商用電源側から分岐させた電線Ｄ１を接続する電源接続部１１３と、負荷装置側の変圧器からの電線Ｄ２を接続する負荷接続部１１４とが配設されており、閉止蓋１１２を外した底部１１１の開口内にヒューズ筒１０１を差し込むことにより、そのヒューズ筒１０１の先端側に取り付けた導通キャップ１０６を電線Ｄ１側の電源接続部１１３の差込導通端子１１３ａに嵌め込んで導通接続させるのと同時に、ヒューズ筒１０１の後端側の導通肩部１０７を電線Ｄ２側の負荷接続部１１４の圧接導通端子１１４ａに圧接させて導通接続させるようになっている。これにより、円筒型カットアウト装置１００は、ヒューズ筒１０１を介して電線Ｄ１側の電源接続部１１３と電線Ｄ２側の負荷接続部１１４とを導通させることができる。
【００３１】
また、箱型カットアウト装置２００は、図５に示すように、本体部２１０が一面側の開口する概略箱形状に形成されているとともに、その本体部２１０の一面側開口に対して回動蓋２１２を回動させて接離させることにより開閉するようになっている。この箱型カットアウト装置２００は、円筒型カットアウト装置１００と同様に、商用電源側の電線Ｄ１を接続する電源接続部２１３と、負荷装置側の電線Ｄ２を接続する負荷接続部２１４と、が配設されており、回動蓋２１２には、本体部２１０側の接続部２１３、２１４に挟み込ませて導通接続する導通刃２０６、２０７を備えるヒューズ筒２０１が取り付けられている。これにより、箱型カットアウト装置２００は、ヒューズ筒２０１を介して電線Ｄ１側の電源接続部２１３と電線Ｄ２側の負荷接続部２１４とを導通させることができる。
【００３２】
なお、図６中の２００ａは、本体部２１０にネジ止めされて商用電源からの配電線を架設する電柱の腕金アームなどに取り付ける取付金具であり、また、２００ｂは、負荷接続部２１４に一端部を導通接続させているバリスタ（ＺｎＯ２）素子であり、２００ｃは、取付金具２００ａに導通するとともにそのバリスタ素子２００ｂの他端部の端子との間にエアーギャップを形成する対向電極プレートである。これにより、箱型カットアウト装置２００は、商用電源からの配電線に落雷等があった場合には、バリスタ素子２００ｂと対向電極プレート２００ｃとの間のエアーギャップに放電を発生させて落雷を地面に逃がすとともに、その放電電圧をバリスタ素子２００ｂにより高く維持して商用電源からの電力により続流が生じてしまうことを防止している。
【００３３】
そして、図１に戻って、内蔵ヒューズ１０は、設定電流容量以上の過電流が流れると溶断する溶断部１１が外装チューブ１２内に固定金具１３とリード線（延長線）１４との間で直列になるように導通接続されて組み付けられている。内蔵ヒューズ１０は、溶断部１１の一端側の固定金具１３が外装チューブ１２の一端側端部に固設されている円盤形状の円盤端子１５に導通しており、その円盤端子１５とリード線１４を後述するようにヒューズ筒１０１、２０１の導通箇所に接続させて、カットアウト装置１００、２００にセットするようになっている。なお、リード線１４は、溶断部１１に接続金具１６により導通接続されているとともに、外装チューブ１２の他端側端部内に位置するストッパ金具１７も取り付けられることにより、溶断部１１が溶断した際にも脱落することがないようになっている。
【００３４】
また、この内蔵ヒューズ１０は、溶断部１１が溶断する電流容量等の各種文字情報を、外装チューブ１２の外面に貼付する表示シール１８内に印字して表示するとともに、一端側の円盤端子１５の一面側端面１５ａ内に刻印して表示する（図１（ｂ）を参照）のに加えて、リード線１４の端部１４ａに固設する表示片（表示部）２０にも目視可能に表示されている。
【００３５】
表示片２０は、図２に示すように、溶断部１１の電流容量の文字情報を表示するとともに指先で摘んで把持することのできる程度の大きさや形状を有する表示領域部（把持部）２１と、この表示領域部２１に隣接して内蔵ヒューズ１０のリード線１４を挿通可能な内径を有する管状部２２とが一体に形成されており、ヒューズ筒１０１、１０２をカットアウト装置１００、２００内にセットする際に邪魔にならないサイズに設定されている。この表示片２０は、ペンチなどの工具で管状部２２を容易に潰して塑性変形させることにより表示領域部２１を把持して牽引することのできる強度でリード線１４に固着させることのできる、例えば、金属材料で作製されている。ここで、表示片２０は、全体を管状形状に形成してペンチなどで潰すことによりリード線１４に固着させるように形成してもよく、この場合には、その外周面に溶断部１１の電流容量を表示するようにする。また、表示片２０は、金属材料に限らず、例えば、絶縁性を有する樹脂材料で作製してもよいことは言うまでもない。
【００３６】
これに対して、円筒型用ヒューズ筒１０１は、図４に示すように、内蔵ヒューズ１０を内蔵する本体部１０２が絶縁材料により作製されており、その本体部１０２が内蔵ヒューズ１０を内部に差し込み可能に両端側の開口する円筒形状に形成されている。この円筒型用ヒューズ筒１０１は、本体部１０２の先端側に導通キャップ１０６が配設されて円筒型カットアウト装置１００の電線Ｄ１側の電源接続部１１３に内蔵ヒューズ１０を導通接続させる一方、本体部１０２の下端部１０１ａに導通肩部１０７が配設されて円筒型カットアウト装置１００の電線Ｄ２側の負荷接続部１１４に導通接続させるようになっている。
【００３７】
この円筒型用ヒューズ筒１０１は、本体部１０２の先端側に導通キャップ１０６の固定部１０６ａが固設されており、その固定部１０６ａの端面に内蔵ヒューズ１０の円盤端子１５の周縁部が位置する状態で導通キャップ１０６の先端部１０６ｂを不図示のネジ部同士を螺合させてその円盤端子１５に挟持圧接することで、内蔵ヒューズ１０の溶断部１１の一端側に導通キャップ１０６（円筒型カットアウト装置１００の電線Ｄ１側の電源接続部１１３）を導通接続させるようになっている。
【００３８】
一方、円筒型用ヒューズ筒１０１は、本体部１０２の下端部１０１ａには金属製の導通円筒部材１０３が外装されて固設されており、その導通円筒部材１０３の一端側がより大径に形成されて張り出すことにより導通肩部１０７として機能するように形成されている。この導通円筒部材１０３には、導通状態を維持しつつ螺合させている金属製の締付ネジ（端子部）１０４が螺合されており、この締付ネジ１０４に内蔵ヒューズ１０のリード線１４を巻き付けて導通円筒部材１０３に締め付けることにより溶断部１１の他端側を導通肩部１０７（円筒型カットアウト装置１００の電線Ｄ２側の電源接続部１１４）に導通接続させるようになっている。
【００３９】
また、円筒型用ヒューズ筒１０１は、本体部１０２の下端部１０１ａの導通円筒部材１０３の下側には絶縁性を有する樹脂製のスライド円筒部材１０８が軸方向に移動して脱落可能に外装されており、導通円筒部材１０３と本体部１０２の間にはそのスライド円筒部材１０８を離脱方向に付勢するスプリング１０９が組み付けられている。
【００４０】
このことから、円筒型用ヒューズ筒１０１は、図５に示すように、内蔵ヒューズ１０を内部に差し込んで内蔵状態にする際には、表示シール１８の表示情報や円盤端子１５の刻印情報を確認して、次のように組み立てる。まずは、内蔵ヒューズ１０のリード線１４が本体部１０２の他端側の下端部１０１ａから露出する状態になるように、その内蔵ヒューズ１０を本体部１０２内に差し込んで、一端側の円盤端子１５に導通キャップ１０６で導通接続させる。この後には、スライド円筒部材１０８を導通円筒部材１０３の導通肩部１０７に接近させる方向にスライドさせることにより、スプリング１０９を付勢力に抗して縮小させる状態を維持しつつ、本体部１０２の下端部１０１ａから露出するリード線１４の表示片２０を摘んで把持することにより容易に牽引して締付ネジ１０４のヘッド１０４ａ下のネジ山と同軸の首部１０４ｂにそのリード線１４を巻き付けた後に締め付けて組み立てを完了する。
【００４１】
これにより、円筒型用ヒューズ筒１０１は、溶断部１１が介在する回路で導通キャップ１０６と導通肩部１０７を導通状態に組み立てることができ、円筒型カットアウト装置１００の本体部１１０の底部１１１側の開口内に差し込んでセットすることができる。このとき、円筒型用ヒューズ筒１０１の外面で露出する内蔵ヒューズ１０のリード線１４端部の表示片２０は、リード線１４と共に邪魔にならないように締付ネジ１０４の周辺などに位置させればよい。また、内蔵ヒューズ１０の溶断部１１が過電流などで溶断したときには、スプリング１０９の付勢力でスライド円筒部材１０８がスライドして確実に導通キャップ１０６（円筒型カットアウト装置１００の電線Ｄ１側の電源接続部１１３）と導通肩部１０７（円筒型カットアウト装置１００の電線Ｄ２側の電源接続部１１４）との間の導通状態を解除することができ、同時に、スライド円筒部材１０８のスライドで円筒型カットアウト装置１００の閉止蓋１１２を底部１１１から脱落させて動作したことを報知することができる。
【００４２】
また、箱型用ヒューズ筒２０１は、円筒型用ヒューズ筒１０１と同様に、図７に示すように、内蔵ヒューズ１０を収納する本体部２０２が絶縁材料により作製されており、その本体部２０２が内蔵ヒューズ１０を内部に差し込み可能に両端側の開口する円筒形状に形成されている。この箱型用ヒューズ筒２０１は、本体部２０２の一端側に導通刃２０６の基端部２０６ａが固設されて箱型カットアウト装置２００の電線Ｄ１側の電源接続部２１３に内蔵ヒューズ１０を導通接続させる一方、本体部２０２の他端側に導通刃２０７の基端部２０７ａが固設されて箱型カットアウト装置２００の電線Ｄ２側の負荷接続部２１４に導通接続させるようになっている。
【００４３】
この箱型用ヒューズ筒２０１は、導通刃２０６の基端部２０６ａの端面に内蔵ヒューズ１０の円盤端子１５の周縁部が位置する状態で圧接キャップ２０３をその基端部２０６ａの不図示のネジ部に螺合させて挟持圧接することで、内蔵ヒューズ１０の溶断部１１の一端側に導通刃２０６（円筒型カットアウト装置１００の電線Ｄ１側の電源接続部１１３）を導通接続させるようになっている。
【００４４】
一方、箱型用ヒューズ筒２０１は、本体部２０２の中間部に固設されている導通刃２０７の基端部２０７ａから他端側（導通刃２０６の反対側）に延長部２０７ｂが延長・形成されているとともに、その延長部２０７ｂの端部には、導通状態を維持しつつ螺合させている金属製の締付ネジ（端子部）２０４が螺合されており、この締付ネジ２０４に内蔵ヒューズ１０のリード線１４を巻き付けて延長部２０７ｂに締め付けることにより溶断部１１の他端側を導通刃２０７（箱型カットアウト装置２００の電線Ｄ２側の電源接続部２１４）に導通接続させるようになっている。
【００４５】
また、箱型用ヒューズ筒２０１は、本体部２０２の他端側に、絶縁性を有する樹脂製のスライド構造２０８が配設されており、このスライド構造２０８は、本体部２０２の他端側に固設されている固設円筒部材２０８ａと、この固設円筒部材２０８ａと本体部２０２との間に軸方向に移動して脱落可能に差し込まれているスライド円筒部材２０８ｂと、その固設円筒部材２０８ａと本体部２０２との間に収納されてスライド円筒部材２０８ｂを離脱方向に付勢する不図示のスプリングとで構築されている。
【００４６】
このことから、箱型用ヒューズ筒２０１は、円筒型用ヒューズ筒１０１と同様に、内蔵ヒューズ１０を内部に差し込んで内蔵状態にする際には、表示シール１８の表示情報や円盤端子１５の刻印情報を確認して、次のように組み立てる。まずは、内蔵ヒューズ１０のリード線１４が本体部２０２の他端側から露出する状態になるように、その内蔵ヒューズ１０を本体部２０２内に差し込んで、一端側の円盤端子１５を圧接挟持するように圧接キャップ２０３を本体部２０２の一端側の導通刃２０６の基端部２０６に螺合させて導通接続させる。この後には、本体部２０２の他端側のスライド構造２０８のスライド円筒部材２０８ｂを中間部の導通刃２０７に接近させる方向にスライドさせることにより、不図示のスプリングを付勢力に抗して縮小させる状態を維持しつつ、本体部２０２の他端側から露出するリード線１４の表示片２０を摘んで把持することにより容易に牽引して締付ネジ２０４のヘッド２０４ａ下のネジ山と同軸の首部２０４ｂにそのリード線１４を巻き付けた後に締め付けて組み立てを完了する。
【００４７】
これにより、箱型用ヒューズ筒２０１でも、円筒型用ヒューズ筒１０１と同様に、溶断部１１が介在する回路で導通刃２０６、２０７を導通状態に組み立てることができ、箱型カットアウト装置２００の回動蓋２１２に取り付けてセットすることができる。このとき、箱型用ヒューズ筒２０１の外面で露出する内蔵ヒューズ１０のリード線１４端部の表示片２０は、リード線１４と共に邪魔にならないように締付ネジ２０４の周辺などに位置させればよい。また、内蔵ヒューズ１０の溶断部１１が過電流などで溶断したときには、不図示のスプリングの付勢力でスライド円筒部材２０８ｂがスライドして確実に導通刃２０６（円筒型カットアウト装置１００の電線Ｄ１側の電源接続部１１３）と導通刃２０７（円筒型カットアウト装置１００の電線Ｄ２側の電源接続部１１４）との間の導通状態を解除することができる。
【００４８】
したがって、ヒューズ筒１０１、２０１は、内部から内蔵ヒューズ１０を取り出すことなく、その電流容量を表示片２０の表示情報を目視して対応表などに頼ることなく直接確認することができる。このため、カットアウト装置１００、２００が機能して、内蔵ヒューズ１０の溶断部１１が過電流などで溶断することにより電線Ｄ１、Ｄ２間の導通状態を解除したときには、そのカットアウト装置１００、２００からヒューズ筒１０１、２０１を取り出すだけで外部に露出する表示片２０の表示を目視して内蔵ヒューズ１０の溶断部１１の電流容量を確認することができ、書類を取り寄せるなどすることなく、また、内蔵ヒューズ１０を内部から取り出して表示シール１８の印字情報や円盤端子１５の一面側端面１５ａの刻印情報をわざわざ確認することなく、同一の電流容量の内蔵ヒューズ１０に選択・交換することができ、そのヒューズ筒１０１、２０１をカットアウト装置１００、２００に取り付ける交換作業を迅速に完了して復旧させることができる。また、この内蔵ヒューズ１０の交換作業では、リード線１４の表示片２０を摘んで負担なく把持することができ、そのまま牽引・周回するなどして締付ネジ１０４、２０４で締め付けて導通接続する作業を、電柱などの高所でも容易に完了することができる。一方、このヒューズ筒１０１、２０１は、現場で組み立てることなく、予め準備しておいてもよく、電流容量の違う異なる種別のものを選択する恐れなく、表示片２０を目視して容易に確認して交換するようにすることもできる。
【００４９】
このように本実施形態においては、内蔵ヒューズ１０のリード線１４を表示片２０を把持して締付ネジ１０４、２０４に容易に巻き付けて導通接続させることができるとともに、ヒューズ筒１０１、２０１の外部にその内蔵ヒューズ１０（溶断部１１）の電流容量を目視可能に露出させることができ、その内蔵ヒューズ１０の電流容量を外部からいつでも確認・把握することができる。したがって、内蔵ヒューズ１０の電流容量に確認に手間を掛けることなく、所望の電流容量のヒューズ筒１０１、２０１をカットアウト装置１００、２００に取付・交換することができる。
【００５０】
次に、図８〜図１０は本発明に係るカットアウト装置用ヒューズ筒の内蔵ヒューズの第２実施形態を示す図である。ここで、本実施形態は、上述実施形態と略同様に構成されていることから、同様の構成には同一の符号を付して特徴部分を説明する（以下で説明する他の実施形態においても同様）。
【００５１】
図８において、内蔵ヒューズ３０は、上述実施形態における内蔵ヒューズ１０と同様に、円筒型カットアウト装置１００用のヒューズ筒１０１と、箱型カットアウト装置２００用のヒューズ筒２０１との双方に内蔵させて共通使用するものである。
【００５２】
この内蔵ヒューズ３０は、リード線１４を表示片２０の管状部２２内に挿通することによりその表示片２０をリード線１４の延長方向に移動自在にして所望の位置に固設することができように仮止めされている。例えば、その表示片２０は、ヒューズ筒１０１、２０１内に内蔵ヒューズ３０を差し込んでリード線１４を締付ネジ１０４、２０４の首部１０４ｂ、２０４ｂに巻き付けて締め付けることにより導通接続させたときに、ヒューズ筒１０１、２０１の本体部１０２、２０２の端部と締付ネジ１０４、２０４との間（範囲）に位置するようにヒューズ筒１０１、２０１内への差込前、あるいは差込セット後に固設するようになっている。
【００５３】
これにより、ヒューズ筒１０１、２０１は、図９および図１０に示すように、締付ネジ１０４、２０４に巻き付けた後に余っている内蔵ヒューズ１０のリード線１４を邪魔にならないように切断して除去することができるとともに、表示片２０も邪魔にならない本体部１０２、２０２の端部と締付ネジ１０４、２０４との間に位置させて露出する状態にすることができる。
【００５４】
このように本実施形態においては、上述実施形態と同様の作用効果を得ることができるとともに、ヒューズ筒１０１、２０１の外部で内蔵ヒューズ１０のリード線１４が邪魔になってしまうことがない。したがって、内蔵ヒューズ３０のリード線１４が絡まってしまうこともなく、快適にヒューズ筒１０１、２０１内への組立作業や、予め準備したヒューズ筒１０１、２０１の管理・取出しを容易に行い得るようにして、カットアウト装置１００、２００に取付・交換することができる。
【００５５】
次に、図１１〜図１５は本発明に係るカットアウト装置用ヒューズ筒の内蔵ヒューズの第３実施形態を示す図である。
【００５６】
図１１において、ヒューズ４０は、上述実施形態における内蔵ヒューズ１０、３０と同様に、円筒型カットアウト装置１００用のヒューズ筒１０１と、箱型カットアウト装置２００用のヒューズ筒２０１との双方に内蔵させて共通使用するものであり、この内蔵ヒューズ４０にも、リード線１４の延在方向に移動可能に表示片５０が仮止めされている。
【００５７】
表示片５０は、図１２に示すように、溶断部１１の電流容量の文字情報を表示するとともに指先で把持することのできる程度の大きさや形状を有する表示領域部（把持部）５１と、この表示領域部５１に隣接して内蔵ヒューズ１０のリード線１４を挿通可能な内径を有する管状部（挿通部）５２と、この管状部５２の表示領域部５１の反対側に隣接してヒューズ筒１０１、２０１の締付ネジ１０４、２０４の首部１０４ｂ、２０４ｂを収装可能な径の開口５３ａを有する開口部５３とが一体に形成されており、ヒューズ筒１０１、１０２をカットアウト装置１００、２００内にセットする際に邪魔にならないサイズに設定されている。
【００５８】
また、表示片５０は、表示領域部５１の延在方向と平行な開口部５３の一辺側の一部に切欠５３ｂが形成されており、開口部５３は切欠５３ｂに締付ネジ１０４、２０４の首部１０４ｂ、２０４ｂを側方から押し込むことにより開口５３ａ内に収装状態にして取り付けることができるようになっている。
【００５９】
なお、この表示片５０は、表示領域部５１内に内蔵ヒューズ４０（溶断部１１）の電流容量の文字情報を刻印するのと同時に、表示領域部５１の延在方向と平行な両辺の内側で管形状に打ち抜き形成される管状部５２と、切欠５３ｂを介して外部に連続する開口ａを打ち抜き形成される開口部５３とをプレス加工により一体形成すればよい。
【００６０】
これにより、内蔵ヒューズ４０は、リード線１４を表示片５０の管状部５２内に挿通することによりその表示片５０をリード線１４の延長方向に移動自在にして所望の位置に固設することができように仮止めされている。例えば、その表示片５０は、ヒューズ筒１０１、２０１内に内蔵ヒューズ４０を差し込んでリード線１４を締付ネジ１０４、２０４の首部１０４ｂ、２０４ｂに巻き付けて締め付けることにより導通接続させたときに、ヒューズ筒１０１、２０１の本体部１０２、２０２の端部と締付ネジ１０４、２０４との間（範囲）に位置するようにヒューズ筒１０１、２０１内への差込前、あるいは差込セット後に固設することもできるようになっている。
【００６１】
または、この内蔵ヒューズ４０は、図１３に示すように、リード線１４を管状部５２内に挿通してその延長方向に移動自在に仮止めした表示片５０を側方から押し込むようにして、その表示片５０の開口部５３の切欠５３ｂから開口５３ａ内に締付ネジ１０４、２０４の首部１０４ｂ、２０４ｂを容易に収装した状態にすることができる。この後には、その表示片５０の表示領域部５１を指先で把持してその首部１０４ｂ、２０４ｂ周りに回動させることでリード線１４を牽引しつつ巻き付けることができ、そのまま締付ネジ１０４、２０４で締め付けることで導通接続させることができる。
【００６２】
このため、ヒューズ筒１０１、２０１は、図１４および図１５に示すように、内蔵ヒューズ４０のリード線１４を締付ネジ１０４、２０４に容易に巻き付けた状態にして導通接続させることができるとともに、表示片５０を締付ネジ１０４、２０４に取り付けた状態にして露出・表示することができる。また、締付ネジ１０４、２０４に巻き付けた後に余っているリード線１４は、邪魔にならないように切断・除去することができるとともに、表示片５０も邪魔にならないように本体部１０２、２０２の端部と締付ネジ１０４、２０４との間に位置させて露出する状態にすることができる。
【００６３】
このように本実施形態においては、上述実施形態と同様の作用効果を得ることができるとともに、ヒューズ筒１０１、２０１の締付ネジ１０４、２０４に内蔵ヒューズ１０のリード線１４を容易に巻き付けて導通接続させることができ、また、その締付ネジ１０４、２０４に表示片５０を目視可能に取り付けることができる。したがって、ヒューズ筒１０１、２０１の組立作業や管理・取出しを容易に行い得るようにして、カットアウト装置１００、２００に取付・交換することができる。
【００６４】
本実施形態の他の態様としては、図示することは省略するが、表示片５０のように切欠５３ｂを有する開口部５３に限らず、その締付ネジ１０４、２０４のヘッド１０４ａ、２０４ａを収装可能な径で開口するだけの（切欠の形成されていない）開口部を有する表示片を備えるようにしてもよい。この場合にも、本実施形態と同様の作用効果を得ることができるが、開口部５３の開口５３ａの周縁が締付ネジ１０４、２０４のヘッド１０４ａ、２０４ａに対面してリード線１４を安定して挟み込むことができることから本実施形態の構成を採用するのが好適である。
【００６５】
また、上述実施形態では、表示片２０、５０にヒューズ１０、３０、４０の溶断部１１の電流容量を文字情報で表示するが、電流容量毎に対応する色を決めておき、色表示を採用してもよい。この場合にも、上述実施形態と同様の作用効果を得ることができるが、電流容量と色とを対応させている対応表を見なければ確認することができないことから本実施形態の構成を採用するのが好適である。
【産業上の利用可能性】
【００６６】
これまで本発明の一実施形態について説明したが、本発明は上述の実施形態に限定されず、その技術的思想の範囲内において種々異なる形態にて実施されてよいことは言うまでもない。
【符号の説明】
【００６７】
１０、３０、４０……内蔵ヒューズ      １１……溶断部      １２……外装チューブ      １４……リード線      １５……円盤端子      １５ａ……一面側端面      １８……表示シール      ２０、５０……表示片      ２１、５１……表示領域部      ２２、５２……管状部      ５３……開口部      ５３ａ……開口      ５３ｂ……切欠      １００……円筒型カットアウト装置      １０１……円筒型用ヒューズ筒      １０４、２０４……締付ネジ      １０４ａ、２０４ａ……ヘッド      １０４ｂ、２０４ｂ……首部      ２００……箱型カットアウト装置      ２０１……箱型用ヒューズ筒
【図１】
2011040308.tif 000003
【図２】
2011040308.tif 000004
【図３】
2011040308.tif 000005
【図４】
2011040308.tif 000006
【図５】
2011040308.tif 000007
【図６】
2011040308.tif 000008
【図７】
2011040308.tif 000009
【図８】
2011040308.tif 000010
【図９】
2011040308.tif 000011
【図１０】
2011040308.tif 000012
【図１１】
2011040308.tif 000013
【図１２】
2011040308.tif 000014
【図１３】
2011040308.tif 000015
【図１４】
2011040308.tif 000016
【図１５】
2011040308.tif 000017